(57)【特許請求の範囲】
【請求項１】
ベースハウジングを備え且つ回路基板に固定されるベースコネクタと組み合わされて使用されるソケットコネクタであって、
前記ソケットコネクタは、ソケットハウジングを有し、
前記ベースハウジングは、ベース側基準面と、前記ベース側基準面から突出するベース側凸部と、を有し、
前記ソケットコネクタと前記ベースコネクタとが組み合わされた組み合わせ状態において、前記ソケットハウジングは、前記ベース側基準面に対向するソケット側基準面と、前記ベース側凸部に干渉しないように前記ソケット側基準面から凹むソケット側凹部と、前記ベースハウジングにおける前記ベース側凸部以外の部分に対向するソケット側干渉部と、を有し、
前記組み合わせ状態の形成過程で前記ソケット側干渉部が前記ベース側凸部に対向した場合には、前記ソケット側干渉部は、前記ベース側凸部に当接して、前記組み合わせ状態の形成を阻害するソケットコネクタ。
【請求項２】
前記組み合わせ状態において、前記ベース側凸部が前記ソケット側凹部に収容されると共に、前記ソケット側基準面が前記ベース側基準面に当接又は近接する請求項１に記載のソケットコネクタ。
【請求項３】
前記組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、前記ソケット側干渉部は、前記ソケットハウジングにおける前記第５方向の外側それぞれに一対設けられる請求項１又は２に記載のソケットコネクタ。
【請求項４】
前記ベースハウジングは、前記第３方向に延びるベース側開口部を有し、
前記ベース側基準面は、前記ベース側開口部における前記第３方向側の縁部に形成され、
前記ベース側凸部は、前記ベース側基準面から前記第３方向に突出し、
前記ソケットハウジングは、前記ソケット側基準面を端面として形成されるソケット側底壁部を有し、
前記組み合わせ状態において、前記ベース側凸部が前記ソケット側凹部に収容され、前記第１方向及び前記第２方向から視た場合に、前記ベース側凸部と前記ソケット側底壁部とは重なる位置に配置される請求項３に記載のソケットコネクタ。
【請求項５】
前記ソケットハウジングは、前記第１方向及び前記第３方向に延び且つ電線が配置される空間を仕切る仕切壁を有し、
前記ソケット側凹部は、前記仕切壁の一部を前記第３方向側に切り欠いて形成される切欠部を有する請求項３又は４に記載のソケットコネクタ。
【請求項６】
前記ベースハウジングは、前記ベース側凸部の前記第２方向側の面に前記仕切壁に対応して前記第２方向側に突出する補強凸部を有し、
前記組み合わせ状態において、前記補強凸部は、前記仕切壁の前記切欠部に配置される請求項５に記載のソケットコネクタ。
【請求項７】
前記組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、
前記ソケットハウジングは、前記ソケットハウジングにおける前記第３方向側に、前記第５方向の外側に突出し且つ前記第３方向に貫通する貫通孔が形成される側面リブと、前記側面リブの前記第５方向の外側に突出する延長リブと、を備え、
前記ベースハウジングは、前記側面リブ及び前記延長リブを前記第５方向の内側に押圧した状態で前記側面リブを前記ベースハウジングにおける前記第１方向側の位置に誘導する側面リブ用溝と、前記組み合わせ状態において前記延長リブが係合するラッチ部と、を備え、
前記貫通孔は前記第１方向に開放している、請求項１〜６のいずれかに記載のソケットコネクタ。
【請求項８】
前記第１方向に開放している前記貫通孔の内部に、前記第５方向の外側又は内側に突出する侵入阻害リブが設けられる、請求項７に記載のソケットコネクタ。
【請求項９】
前記ソケットハウジングは、電極数に応じて設定された設定位置に、複数の電極数識別用凸部又は電極数識別用凹部を備え、
前記ベースハウジングは、電極数に応じて設定された設定位置に、複数の電極数識別用凸部又は電極数識別用凹部を備え、
電極数が同じ場合のみ、複数の前記電極数識別用凸部が複数の前記電極数識別用凹部に収容されるように、前記設定位置は設定されている、請求項１〜８のいずれかに記載のソケットコネクタ。
【請求項１０】
ベースハウジングを備え且つ回路基板に固定されるベースコネクタと組み合わされて使用されるソケットコネクタであって、
前記ソケットコネクタは、ソケットハウジングを有し、
前記ソケットハウジングは、ソケット側基準面と、前記ソケット側基準面から突出するソケット側凸部と、を有し、
前記ソケットコネクタと前記ベースコネクタとが組み合わされた組み合わせ状態において、前記ベースハウジングは、前記ソケット側基準面に対向するベース側基準面と、前記ソケット側凸部に干渉しないように前記ベース側基準面から凹むベース側凹部と、前記ソケットハウジングにおける前記ソケット側凸部以外の部分に対向するベース側干渉部と、を有し、
前記組み合わせ状態の形成過程で前記ベース側干渉部が前記ソケット側凸部に対向した場合には、前記ベース側干渉部は、前記ソケット側凸部に当接して、前記組み合わせ状態の形成を阻害するソケットコネクタ。
【請求項１１】
前記組み合わせ状態において、前記ソケット側凸部が前記ベース側凹部に収容されると共に、前記ベース側基準面が前記ソケット側基準面に当接又は近接する請求項１０に記載のソケットコネクタ。
【請求項１２】
前記組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、前記ベース側干渉部は、前記ベースハウジングにおける前記第５方向の外側それぞれに一対設けられる請求項１０又は１１に記載のソケットコネクタ。
【請求項１３】
前記ソケットハウジングは、前記第３方向に延びるソケット側開口部を有し、
前記ソケット側基準面は、前記ソケット側開口部における前記第４方向側の縁部に形成され、
前記ソケット側凸部は、前記ソケット側基準面から前記第４方向に突出し、
前記ベースハウジングは、前記ベース側基準面を端面として形成されるベース側底壁部を有し、
前記組み合わせ状態において、前記ソケット側凸部が前記ベース側凹部に収容され、前記第１方向及び前記第２方向から視た場合に、前記ソケット側凸部と前記ベース側底壁部とは重なる位置に配置される請求項１２に記載のソケットコネクタ。
【請求項１４】
前記組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、
前記ベースハウジングは、前記ベースハウジングにおける前記第４方向側に、前記第５方向の外側に突出し且つ前記第４方向に貫通する貫通孔が形成される側面リブと、前記側面リブの前記第５方向の外側に突出する延長リブと、を備え、
前記ソケットハウジングは、前記側面リブ及び前記延長リブを前記第５方向の内側に押圧した状態で前記側面リブを前記ソケットハウジングにおける前記第２方向側の位置に誘導する側面リブ用溝と、前記組み合わせ状態において前記延長リブが係合するラッチ部と、を備え、
前記貫通孔は前記第２方向に開放している、請求項１０〜１３のいずれかに記載のソケットコネクタ。
【請求項１５】
前記第２方向に開放している前記貫通孔の内部に、前記第５方向の外側又は内側に突出する侵入阻害リブが設けられる、請求項１４に記載のソケットコネクタ。
【請求項１６】
前記ベースハウジングは、電極数に応じて設定された設定位置に、複数の電極数識別用凸部又は電極数識別用凹部を備え、
前記ソケットハウジングは、電極数に応じて設定された設定位置に、複数の電極数識別用凸部又は電極数識別用凹部を備え、
電極数が同じ場合のみ、複数の前記電極数識別用凸部が複数の前記電極数識別用凹部に収容されるように、前記設定位置は設定されている、請求項１０〜１５のいずれかに記載のソケットコネクタ。
【発明の詳細な説明】
【技術分野】
【０００１】
本発明は、回路基板に固定されたベースコネクタと組み合わされて使用されるソケットコネクタに関する。
【背景技術】
【０００２】
従来、回路基板に固定されたベースコネクタと、ソケットコネクタとからなるコネクタ対（以下、「ソケットコネクタ−ベースコネクタ対」ともいう。）が知られている（例えば、特許文献１参照）。
特許文献１に記載のソケットコネクタ−ベースコネクタ対は、ソケットコネクタをベースコネクタの上方から挿入して嵌合させるコネクタ対であり、電線が横方向に引き出されるように配置されている。このように構成されるコネクタ対においては、ベースコネクタ及びソケットコネクタにおいて、複数の電線に接続される複数の電極が配置されている。
【０００３】
ここで、ベースコネクタとソケットコネクタとで電極のピッチは同じであるが電極数が異なる場合において、異なる電極数のベースコネクタとソケットコネクタとが嵌合しないように、例えば、嵌合防止リブを備えるコネクタ対が知られている。嵌合防止リブは、例えば、ベースコネクタ側の電極間に設けられ、ベースコネクタに、ベースコネクタの電極数と異なる電極数のソケットコネクタを嵌合しようとした場合に、ソケットコネクタの嵌合を阻害できる。
【先行技術文献】
【特許文献】
【０００４】
【特許文献１】特開２００５−１５８７３０号公報
【発明の概要】
【発明が解決しようとする課題】
【０００５】
ところで、近年、複数の電極の間隔が狭いコネクタ対が使用されている。コネクタ対において、複数の電極の間隔が狭い場合には、狭いスペースにおいて電極間に嵌合防止リブを設けることが困難である。しかし、複数の電極の間隔が狭い場合においても、異なる電極数のベースコネクタとソケットコネクタとの嵌合が抑制されることが望まれる。
【０００６】
本発明は、異なる電極数のベースコネクタとソケットコネクタとが嵌合することを抑制できるソケットコネクタを提供することを目的とする。
【課題を解決するための手段】
【０００７】
本発明は、ベースハウジングを備え且つ回路基板に固定されるベースコネクタと組み合わされて使用されるソケットコネクタであって、前記ソケットコネクタは、ソケットハウジングを有し、前記ベースハウジングは、ベース側基準面と、前記ベース側基準面から突出するベース側凸部と、を有し、前記ソケットコネクタと前記ベースコネクタとが組み合わされた組み合わせ状態において、前記ソケットハウジングは、前記ベース側基準面に対向するソケット側基準面と、前記ベース側凸部に干渉しないように前記ソケット側基準面から凹むソケット側凹部と、前記ベースハウジングにおける前記ベース側凸部以外の部分に対向するソケット側干渉部と、を有し、前記組み合わせ状態の形成過程で前記ソケット側干渉部が前記ベース側凸部に対向した場合には、前記ソケット側干渉部は、前記ベース側凸部に当接して、前記組み合わせ状態の形成を阻害するソケットコネクタに関する。
【０００８】
また、前記組み合わせ状態において、前記ベース側凸部が前記ソケット側凹部に収容されると共に、前記ソケット側基準面が前記ベース側基準面に当接又は近接することが好ましい。
【０００９】
また、前記組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、前記ソケット側干渉部は、前記ソケットハウジングにおける前記第５方向の外側それぞれに一対設けられることが好ましい。
【００１０】
また、前記ベースハウジングは、前記第３方向に延びるベース側開口部を有し、前記ベース側基準面は、前記ベース側開口部における前記第３方向側の縁部に形成され、前記ベース側凸部は、前記ベース側基準面から前記第３方向に突出し、前記ソケットハウジングは、前記ソケット側基準面を端面として形成されるソケット側底壁部を有し、前記組み合わせ状態において、前記ベース側凸部が前記ソケット側凹部に収容され、前記第１方向及び前記第２方向から視た場合に、前記ベース側凸部と前記ソケット側底壁部とは重なる位置に配置されることが好ましい。
【００１１】
また、前記ソケットハウジングは、前記第１方向及び前記第３方向に延び且つ電線が配置される空間を仕切る仕切壁を有し、前記ソケット側凹部は、前記仕切壁の一部を前記第３方向側に切り欠いて形成される切欠部を有することが好ましい。
【００１２】
また、前記ベースハウジングは、前記ベース側凸部の前記第２方向側の面に前記仕切壁に対応して前記第２方向側に突出する補強凸部を有し、前記組み合わせ状態において、前記補強凸部は、前記仕切壁の前記切欠部に配置されることが好ましい。
【００１３】
また、前記組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、前記ソケットハウジングは、前記ソケットハウジングにおける前記第３方向側に、前記第５方向の外側に突出し且つ前記第３方向に貫通する貫通孔が形成される側面リブと、前記側面リブの前記第５方向の外側に突出する延長リブと、を備え、前記ベースハウジングは、前記側面リブ及び前記延長リブを前記第５方向の内側に押圧した状態で前記側面リブを前記ベースハウジングにおける前記第１方向側の位置に誘導する側面リブ用溝と、前記組み合わせ状態において前記延長リブが係合するラッチ部と、を備え、前記貫通孔は前記第１方向に開放していることが好ましい。
【００１４】
また、前記第１方向に開放している前記貫通孔の内部に、前記第５方向の外側又は内側に突出する侵入阻害リブが設けられることが好ましい。
【００１５】
また、前記ソケットハウジングは、電極数に応じて設定された設定位置に、複数の電極数識別用凸部又は電極数識別用凹部を備え、前記ベースハウジングは、電極数に応じて設定された設定位置に、複数の電極数識別用凸部又は電極数識別用凹部を備え、電極数が同じ場合のみ、複数の前記電極数識別用凸部が複数の前記電極数識別用凹部に収容されるように、前記設定位置は設定されていることが好ましい。
【００１６】
また、本発明は、ベースハウジングを備え且つ回路基板に固定されるベースコネクタと組み合わされて使用されるソケットコネクタであって、前記ソケットコネクタは、ソケットハウジングを有し、前記ソケットハウジングは、ソケット側基準面と、前記ソケット側基準面から突出するソケット側凸部と、を有し、前記ソケットコネクタと前記ベースコネクタとが組み合わされた組み合わせ状態において、前記ベースハウジングは、前記ソケット側基準面に対向するベース側基準面と、前記ソケット側凸部に干渉しないように前記ベース側基準面から凹むベース側凹部と、前記ソケットハウジングにおける前記ソケット側凸部以外の部分に対向するベース側干渉部と、を有し、前記組み合わせ状態の形成過程で、前記ベース側干渉部が前記ソケット側凸部に対向した場合には、前記ベース側干渉部は、前記ソケット側凸部に当接して、前記組み合わせ状態の形成を阻害するソケットコネクタに関する。
【００１７】
また、前記組み合わせ状態において、前記ソケット側凸部が前記ベース側凹部に収容されると共に、前記ベース側基準面が前記ソケット側基準面に当接又は近接することが好ましい。
【００１８】
また、前記組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、前記ベース側干渉部は、前記ベースハウジングにおける前記第５方向の外側それぞれに一対設けられることが好ましい。
【００１９】
また、前記ソケットハウジングは、前記第３方向に延びるソケット側開口部を有し、前記ソケット側基準面は、前記ソケット側開口部における前記第４方向側の縁部に形成され、前記ソケット側凸部は、前記ソケット側基準面から前記第４方向に突出し、前記ベースハウジングは、前記ベース側基準面を端面として形成されるベース側底壁部を有し、前記組み合わせ状態において、前記ソケット側凸部が前記ベース側凹部に収容され、前記第１方向及び前記第２方向から視た場合に、前記ソケット側凸部と前記ベース側底壁部とは重なる位置に配置されることが好ましい。
【００２０】
また、前記組み合わせ状態において、前記ソケットコネクタから前記ベースコネクタに向かう方向を第１方向とし、前記第１方向と反対の方向を第２方向とし、前記第１方向及び前記第２方向に直交する所定の方向を第３方向とし、前記第３方向と反対の方向を第４方向とし、前記第１方向、前記第２方向、前記第３方向及び前記第４方向に直交する方向を第５方向としたときに、前記ベースハウジングは、前記ベースハウジングにおける前記第４方向側に、前記第５方向の外側に突出し且つ前記第４方向に貫通する貫通孔が形成される側面リブと、前記側面リブの前記第５方向の外側に突出する延長リブと、を備え、前記ソケットハウジングは、前記側面リブ及び前記延長リブを前記第５方向の内側に押圧した状態で前記側面リブを前記ソケットハウジングにおける前記第２方向側の位置に誘導する側面リブ用溝と、前記組み合わせ状態において前記延長リブが係合するラッチ部と、を備え、前記貫通孔は前記第２方向に開放していることが好ましい。
【００２１】
また、前記第２方向に開放している前記貫通孔の内部に、前記第５方向の外側又は内側に突出する侵入阻害リブが設けられることが好ましい。
【００２２】
また、前記ベースハウジングは、電極数に応じて設定された設定位置に、複数の電極数識別用凸部又は電極数識別用凹部を備え、前記ソケットハウジングは、電極数に応じて設定された設定位置に、複数の電極数識別用凸部又は電極数識別用凹部を備え、電極数が同じ場合のみ、複数の前記電極数識別用凸部が複数の前記電極数識別用凹部に収容されるように、前記設定位置は設定されていることが好ましい。
【発明の効果】
【００２３】
本発明によれば、異なる電極数のベースコネクタとソケットコネクタとが嵌合することを抑制できるソケットコネクタを提供することができる。
【図面の簡単な説明】
【００２４】
【図１】本発明の第１実施形態のソケットコネクタ１０とベースコネクタ３０とを分離した状態でソケットコネクタ１０側から視た斜視図である。
【図２】図１に示すソケットコネクタ１０とベースコネクタ３０とを組み合わせた状態でソケットコネクタ１０側から視た斜視図である。
【図３】ソケットコネクタ１０と組み合わせて使用されるベースコネクタ３０を示す斜視図である。
【図４】ソケットコネクタ１０を底壁側から視た斜視図である。
【図５】ソケットコネクタ１０を天壁側から視た斜視図である。
【図６】組み合わされた状態のソケットコネクタ１０及びベースコネクタ３０の平面図である。
【図７】組み合わされた状態のソケットコネクタ１０及びベースコネクタ３０の底面図である。
【図８】図６に示す６Ａ−６Ａ線断面図である。
【図９】図６に示す６Ｂ−６Ｂ線断面図である。
【図１０】図６に示す６Ｃ−６Ｃ線断面図である。
【図１１】図６に示す６Ｄ−６Ｄ線断面図である。
【図１２】ソケットコネクタ１０と組み合わせて使用されるベースコネクタ３０を示す平面図である。
【図１３】図１２に示すベースコネクタ３０を矢視１２Ｂ方向から視た正面図である。
【図１４】ソケットコネクタ１０と組み合わせて使用されるベースコネクタ３０を示す底面図である。
【図１５】図１３に示す１３Ａ−１３Ａ線断面図である。
【図１６】図１２に示す１２Ａ−１２Ａ線断面図である。
【図１７】ソケットコネクタ１０を示す底面図である。
【図１８】図５に示すソケットコネクタ１０を矢視５Ａ方向から視た正面図である。
【図１９】図５に示すソケットコネクタ１０を矢視５Ｂ方向から視た背面図である。
【図２０】図５に示す５Ｃ−５Ｃ線断面図である。
【図２１】図１８に示す１８Ａ−１８Ａ線断面図である。
【図２２】（Ａ）及び（Ｂ）は、ソケットコネクタ１０とベースコネクタ３０との組み合わせる際にソケットコネクタ１０を傾けた状態を示す図である。
【図２３】（Ａ）及び（Ｂ）は、ソケットコネクタ１０とベースコネクタ３０との組み合わせ手順を順次示す図であって、図２２（Ａ）に示す２２Ａ−２２Ｂ−２２Ｃ−２２Ｄ線断面図である。
【図２４】（Ａ）及び（Ｂ）は、図２３（Ａ）及び（Ｂ）に示す状態から進行した組み合わせ手順を順次示す図である。
【図２５】（Ａ）〜（Ｃ）は、ソケットコネクタ１０とベースコネクタ３０との組み合わせ手順を順次示す図であって、図２２（Ｂ）に示す２２Ｅ−２２Ｅ線断面図である。
【図２６】（Ａ）及び（Ｂ）は、異なる電極数のソケットコネクタ１０とベースコネクタ３０との組み合わせ状態の形成が阻害された場合を示す図である。
【図２７】（Ａ）は、図２６（Ｂ）に示す２６Ａ−２６Ａ線断面図、（Ｂ）は、図２６（Ｂ）に示す２６Ｂ−２６Ｂ線断面図である。
【図２８】第２実施形態における、ソケットコネクタ１０と組み合わせて使用されるベースコネクタ３０を示す平面図（図１２対応図）である。
【図２９】図２８に示すベースコネクタ３０を矢視２８Ｂ方向から視た正面図（図１３対応図）である。
【図３０】ソケットコネクタ１０と組み合わせて使用されるベースコネクタ３０を示す底面図（図１４対応図）である。
【図３１】ソケットコネクタ１０を示す底面図（図１７対応図）である。
【図３２】ソケットコネクタ１０をＤ３方向に視た正面図（図１８対応図）である。
【図３３】図３２に示す３２Ａ−３２Ａ線断面図（図２１対応図）である。
【発明を実施するための形態】
【００２５】
〔第１実施形態〕
以下に、本発明のソケットコネクタの第１実施形態について、図面を参照しながら説明する。図１は、本発明の第１実施形態のソケットコネクタ１０とベースコネクタ３０とを分離した状態でソケットコネクタ１０側から視た斜視図である。図２は、図１に示すソケットコネクタ１０とベースコネクタ３０とを組み合わせた状態でソケットコネクタ１０側から視た斜視図である。図３は、ソケットコネクタ１０と組み合わせて使用されるベースコネクタ３０を示す斜視図である。図４は、ソケットコネクタ１０を底壁側から視た斜視図である。図５は、ソケットコネクタ１０を天壁側から視た斜視図である。図６は、組み合わされた状態のソケットコネクタ１０及びベースコネクタ３０の平面図である。図７は、組み合わされた状態のソケットコネクタ１０及びベースコネクタ３０の底面図である。図８は、図６に示す６Ａ−６Ａ線断面図である。図９は、図６に示す６Ｂ−６Ｂ線断面図である。図１０は、図６に示す６Ｃ−６Ｃ線断面図である。
【００２６】
図１１は、図６に示す６Ｄ−６Ｄ線断面図である。図１２は、ソケットコネクタ１０と組み合わせて使用されるベースコネクタ３０を示す平面図である。図１３は、図１２に示すベースコネクタ３０を矢視１２Ｂ方向から視た正面図である。図１４は、ソケットコネクタ１０と組み合わせて使用されるベースコネクタ３０を示す底面図である。図１５は、図１３に示す１３Ａ−１３Ａ線断面図である。図１６は、図１２に示す１２Ａ−１２Ａ線断面図である。図１７は、ソケットコネクタ１０を示す底面図である。図１８は、図５に示すソケットコネクタ１０を矢視５Ａ方向から視た正面図である。図１９は、図５に示すソケットコネクタ１０を矢視５Ｂ方向から視た背面図である。図２０は、図５に示す５Ｃ−５Ｃ線断面図である。図２１は、図１８に示す１８Ａ−１８Ａ線断面図である。
【００２７】
本発明のソケットコネクタ１０は、ベースコネクタ３０と組み合わされて使用されるコネクタである。
まず、本実施形態のソケットコネクタ１０と組み合わされて使用されるベースコネクタ３０について説明する。
なお、以下の説明において、ソケットコネクタ１０とベースコネクタ３０とが組み合わされた状態を「組み合わせ状態」という。また、組み合わせ状態において、ソケットコネクタ１０からベースコネクタ３０に向かう方向を「第１方向Ｄ１」とし、第１方向Ｄ１と反対の方向を第２方向Ｄ２とし、第１方向Ｄ１及び第２方向Ｄ２に直交する所定の方向を第３方向Ｄ３とし、第３方向Ｄ３と反対の方向を第４方向Ｄ４とし、第１方向Ｄ１、第２方向Ｄ２、第３方向Ｄ３及び第４方向Ｄ４に直交する方向を第５方向とする。
【００２８】
図１〜図５に示すように、ベースコネクタ３０は、回路基板Ｓの表面に固定されるコネクタである。図１〜図１６に示すように、ベースコネクタ３０は、合成樹脂等からなるベースハウジング３１と、複数のベースコンタクト３５と、固定部材８と、を備えている。ベースハウジング３１は、第１方向Ｄ１に平面視した場合、略矩形状の底板部３８と、底板部３８の第４方向Ｄ４側に形成される略矩形状の底部開口部３７と、略矩形状の底板部３８及び底部開口部３７を囲む平面視で略矩形枠状の周壁部３２と、を備えている。周壁部３２は、必ずしも連続していないが、全体として略矩形枠状となっている。
【００２９】
略矩形枠状の周壁部３２は、第３方向Ｄ３側に位置すると共に第５方向Ｄ５に延びる前壁部３２ａと、第４方向Ｄ４側に位置すると共に第５方向Ｄ５に延びる後壁部３２ｃと、前壁部３２ａの両端部と後壁部３２ｃの両端部とを繋ぐように、第３方向Ｄ３（第４方向Ｄ４）に延びる一対の側壁部３２ｂ，３２ｂと、を備える。後壁部３２ｃの高さは、電線Ｗ（詳細は後述）との干渉を避けるために、前壁部３２ａ及び側壁部３２ｂの高さと比べて低くなっている。
【００３０】
後壁部３２ｃにおける第２方向Ｄ２側には、ベース側開口部３４が形成されている。ベース側開口部３４は、第３方向Ｄ３に延びていると共に第２方向Ｄ２に開放している。平面視した場合におけるベース側開口部３４の領域は、図１４に示すように、後壁部３２ｃの第４方向Ｄ４の縁部３４ａから、後述する後壁部３２ｃにおける一対の外側後壁部４１，４１の第３方向Ｄ３側の縁部３４ｂまでの間の領域である。
【００３１】
ベースコネクタ３０においては、底板部３８及び略矩形枠状の周壁部３２によって包囲された収容空間３９が形成される。収容空間３９は、第２方向Ｄ２側が開放しており、第１方向側が底部開口部３７により開放しており、第４方向Ｄ４側がベース側開口部３４（図１、図１３及び図１４等参照）により開放している。
組み合わせ状態において、収容空間３９には、ソケットハウジング１１における第１方向Ｄ１側の大部分が収容される。
【００３２】
後壁部３２ｃは、図１及び図３に示すように、第５方向Ｄ５それぞれの外側に形成される一対の外側後壁部４１，４１と、第５方向Ｄ５において一対の外側後壁部４１，４１の内側に形成される内側後壁部４２と、を有する。
一対の外側後壁部４１，４１は、上面側において、第５方向Ｄ５の内側に向かうにしたがって緩やかに下る円弧状の傾斜面を有する。一対の外側後壁部４１，４１の傾斜面には、組み合わせ状態において、電線Ｗが配置される。
【００３３】
一対の外側後壁部４１，４１の第３方向Ｄ３側の端面４１ａは、図１２に示すように、ベース側基準面１００に一致している。ベース側基準面１００は、ベース側開口部３４における第３方向Ｄ３側の縁部３４ｂに形成される。ベース側基準面１００は、仮想面であり、第５方向Ｄ５に延びている。つまり、ベース側基準面１００は、外側後壁部４１の第３方向Ｄ３側の端面４１ａのみではなく、外側後壁部４１の第３方向Ｄ３側の端面４１ａを含む面であって、第５方向Ｄ５に延びる仮想面である。
【００３４】
内側後壁部４２は、図１に示すように、第２方向Ｄ２に所定の高さ（厚み）を有すると共に第３方向Ｄ３に所定の幅を有しており、第５方向Ｄ５に延びる。内側後壁部４２は、基部４２１と、ベース側凸部としての内方側凸リブ４２２と、基部４２１から第２方向Ｄ２側に突出する複数の後壁補強凸部（補強凸部）４２３と、を有する。
【００３５】
基部４２１は、一対の外側後壁部４１，４１を繋ぐように第５方向Ｄ５に延びる直方体形状に形成される。基部４２１の第３方向Ｄ３側の端面４２１ａは、図１４に示すように、ベース側開口部３４における第３方向Ｄ３側の縁部３４ｂと一致し、外側後壁部４１の第３方向Ｄ３側の端面４１ａと同一平面上に位置する。つまり、基部４２１の第３方向Ｄ３側の端面４２１ａは、ベース側基準面１００と一致する。
【００３６】
内方側凸リブ４２２は、図１４に示すように、ベース側基準面１００（基部４２１の第３方向Ｄ３側の端面４２１ａ）から第３方向Ｄ３側に突出する。内方側凸リブ４２２は、第５方向Ｄ５に連続して延びる。内方側凸リブ４２２は、組み合わせ状態の形成過程で、後述するソケットハウジング１１のソケット側干渉部としての側壁部７１２（図５参照）が当接することで、電線の極数（電極数）が異なるソケットコネクタ１０とベースコネクタ３０とが組み合わされることを防止する機能を有する。この機能の詳細については後述する。
【００３７】
また、内方側凸リブ４２２の第１方向Ｄ１側には、図１３に示すように、底壁配置空間４２４が形成される。底壁配置空間４２４は、第５方向Ｄ５に延びると共に、組み合わせ状態においてソケットハウジング１１における底壁部７１１（ソケット側底壁部）（詳細は後述）を収容可能な空間である。底壁配置空間４２４は、ベースハウジング３１の後壁部３２ｃにおける第１方向Ｄ１側に位置し、第１方向Ｄ１、第３方向Ｄ３及び第４方向Ｄ４側それぞれに開口している。底壁配置空間４２４にソケットハウジング１１の底壁部７１１が収容されることで、底壁部７１１は、内方側凸リブ４２２よりも第１方向Ｄ１側に配置される。これにより、第２方向Ｄ２側へのソケットハウジング１１の底壁部７１１の移動が規制されるため、ソケットコネクタ１０とベースコネクタ３０との組み合わせ状態において、嵌合強度を向上させることができる。
【００３８】
複数の後壁補強凸部４２３は、後壁部３２ｃの補強部材として機能する。
複数の後壁補強凸部４２３は、基部４２１及び内方側凸リブ４２２の第２方向Ｄ２側の上面において、第２方向Ｄ２側に突出して形成され、第３方向Ｄ３において基部４２１及び内方側凸リブ４２２の全域に亘っている。複数の後壁補強凸部４２３は、第５方向Ｄ５に間隔をおいて複数設けられている。複数の後壁補強凸部４２３は、基部４２１及び内方側凸リブ４２２を補強する。第３方向Ｄ３に視た場合に、複数の後壁補強凸部４２３は、上底が下底よりも短い略台形形状を有し、第５方向Ｄ５の両端面は、直線状に下る傾斜面となっている。
【００３９】
複数の後壁補強凸部４２３は、組み合わせ状態において、複数の電線Ｗを避ける位置に配置される。具体的には、複数の後壁補強凸部４２３は、組み合わせ状態において、隣接する電線Ｗの間に位置するように、後述するソケットコネクタ１０の仕切壁７２に対応して設けられる。複数の後壁補強凸部４２３は、図１０に示すように、組み合わせ状態において、仕切壁７２の切欠部７２１に配置される。
【００４０】
前壁部３２ａの第１方向Ｄ１側の端面には、図１に示すように、第２方向Ｄ２に凹む複数のベース端子溝３２ｄが設けられている。ベース端子溝３２ｄは、前壁部３２ａの第３方向Ｄ３側の端面から第４方向Ｄ４側の端面に達するように形成されている。
前壁部３２ａの第２方向Ｄ２側の上面には、複数の前壁補強凸部３２１が設けられている。複数の前壁補強凸部３２１は、前壁部３２ａの補強部材として機能する。複数の前壁補強凸部３２１は、第５方向Ｄ５に間隔をおいて設けられ、複数のベース端子溝３２ｄの上方側に形成されている。複数の前壁補強凸部３２１は、第３方向Ｄ３に視た場合に上底が下底よりも短い略台形形状を有し、第５方向Ｄ５の両端面は、直線状に下る傾斜面となっている。
前壁部３２ａの第５方向Ｄ５の外側の両側には、第３方向Ｄ３に連通する連通孔３２２が形成されている。連通孔３２２は、側面リブ用溝５２ａに連通する。
【００４１】
ベースコンタクト３５は、板状の金属片からなる。ベースコンタクト３５は、底板部３８から第２方向Ｄ２に立ち上がるソケット側コンタクト部３５ａと、ベース端子溝３２ｄに配置された基板側コンタクト部３５ｂと、を有する。ソケット側コンタクト部３５ａと基板側コンタクト部３５ｂとは、つながっている。ベースコンタクト３５の基板側コンタクト部３５ｂの第１方向Ｄ１側の一部は、前壁部３２ａの第１方向Ｄ１側の端面から突出している。基板側コンタクト部３５ｂは、回路基板Ｓにおける配線等に電気的に接続されるとともに、半田付け等により回路基板Ｓに機械的に固定される。
【００４２】
ベースハウジング３１は、図３、図７及び図１３に示すように、その後壁部３２ｃにおける第５方向Ｄ５の外側において、第１方向Ｄ１及び第３方向Ｄ３に開放すると共に、第３方向Ｄ３及び第４方向Ｄ４に延びるスリット状の固定部材保持部３１１を有する。固定部材保持部３１１は、固定部材８を保持する。
【００４３】
固定部材８は、金属材料からなる板状部材から形成され、補強金具、補強タブ等とも呼ばれる。固定部材８は、図３、図７及び図１３に示すように、ベースハウジング３１の固定部材保持部３１１に挟持されて保持される。固定部材８は、第１方向Ｄ１、第２方向Ｄ２、第３方向Ｄ３及び第４方向Ｄ４に延びる平板形状を有する。固定部材８は、図３及び図１３に示すように、第１方向Ｄ１の端部に結合面８１を有する。固定部材８の結合面８１は、ベースハウジング３１を回路基板Ｓの表面（実装面）に固定する際に半田付けにより結合される。固定部材８の第２方向Ｄ２側は、ベースハウジング３１の固定部材保持部３１１に挟持されて保持される。固定部材８は、ベースハウジング３１に連結されると共に、ベースハウジング３１を回路基板Ｓの表面に固定する。
【００４４】
一対の側壁部３２ｂ，３２ｂは、第４方向Ｄ４側に配置される嵌合ガイドリブ用溝構成部５１と、第３方向Ｄ３側に配置される側面リブ用溝構成部５２と、を有する。
嵌合ガイドリブ用溝構成部５１は、第２方向Ｄ２側において、第３方向Ｄ３に離間して第５方向Ｄ５の内側に突出する一対の溝凸部５１ａ，５１ａを有している。嵌合ガイドリブ用溝構成部５１は、一対の溝凸部５１ａ，５１ａの間において、第５方向Ｄ５の内側が開放された平面視で略コ字状に形成される。嵌合ガイドリブ用溝構成部５１には、一対の溝凸部５１ａ，５１ａの間の空間が第１方向Ｄ１に延びると共に、下方において第４方向Ｄ４に屈曲して側面視において略Ｌ字形状（図１５の２点鎖線参照）に形成される嵌合ガイドリブ用溝５１ｂ，５１ｂが形成されている。
【００４５】
詳細には、嵌合ガイドリブ用溝５１ｂ，５１ｂは、図１に示すように、ベースハウジング３１に設けられる溝であって、ソケットハウジング１１における一対の嵌合ガイドリブ６１，６１（詳細は後述）をベースハウジング３１における第４方向Ｄ４側で且つ第１方向Ｄ１側の位置に誘導する溝である。嵌合ガイドリブ用溝５１ｂは、側壁部３２ｂにおける第２方向Ｄ２側の端部から第１方向Ｄ１に延びている。また、嵌合ガイドリブ用溝５１ｂは、その第４方向Ｄ４側で且つ第１方向Ｄ１側の位置に、嵌合ガイドリブ係止部５１ｃを備えている。嵌合ガイドリブ係止部５１ｃは、第４方向Ｄ４側に凹むと共に、図８に示すように、組み合わせ状態において嵌合ガイドリブ６１を収容可能となっている。つまり、嵌合ガイドリブ用溝５１ｂは、全体として、側壁部３２ｂにおける第２方向Ｄ２側の端部から第１方向Ｄ１に延びると共に、第４方向Ｄ４に向けて屈曲し、図１５に示すように、側面視において略Ｌ字形状に延びている。
【００４６】
図７及び図８に示すように、組み合わせ状態において、第３方向Ｄ３及び第４方向Ｄ４において、嵌合ガイドリブ６１が嵌合ガイドリブ係止部５１ｃに収容された領域を、嵌合ガイドリブ収容領域Ｋ１という。嵌合ガイドリブ収容領域Ｋ１は、図７及び図８に示すように、第２方向Ｄ２に視た場合に、嵌合ガイドリブ６１と嵌合ガイドリブ係止部５１ｃとが重なる領域である。嵌合ガイドリブ６１は、嵌合ガイドリブ収容領域Ｋ１において、嵌合ガイドリブ係止部５１ｃに係止される。
【００４７】
嵌合ガイドリブ収容領域Ｋ１は、図７に示すように、第３方向Ｄ３及び第４方向Ｄ４において、固定部材８と近い位置、又は、第５方向Ｄ５に視た場合に、固定部材８の一部が重なる位置に形成される。ここで、図７に示すように、第３方向Ｄ３及び第４方向Ｄ４において、嵌合ガイドリブ収容領域Ｋ１は、ベースハウジング３１が固定部材８により回路基板Ｓに固定されている位置と近い位置である。そのため、嵌合ガイドリブ６１が嵌合ガイドリブ係止部５１ｃに係止される際において、ベースハウジング３１の弾性変形を抑制することができる。
【００４８】
前壁部３２ａと側壁部３２ｂとがつながる部分（収容空間３９の第３方向Ｄ３側の２つの角部）には、側面リブ用溝構成部５２が形成されている。側面リブ用溝構成部５２には、一対の側壁部３２ｂ，３２ｂの第５方向Ｄ５の内側の側面において、側面リブ用溝５２ａが形成されている。側面リブ用溝５２ａの第２方向Ｄ２側には、ラッチ部５２ｂが設けられている。ラッチ部５２ｂの第２方向Ｄ２側の端部は、ラッチ部５２ｂにおける第２方向Ｄ２側から第１方向Ｄ１に向かうと共に第５方向Ｄ５の内側に向けて傾斜する傾斜面となっている。図１１に示すように、ラッチ部５２ｂは、組み合わせ状態において、ソケットハウジング１１における一対の側面リブ６２の第５方向Ｄ５の外側に設けられる延長リブ６３に係合される。
【００４９】
詳細には、側面リブ用溝５２ａは、図１に示すように、ベースハウジング３１に設けられる溝であって、ソケットハウジング１１における一対の側面リブ６２，６２（詳細は後述）及び一対の延長リブ６３，６３（詳細は後述）を第５方向Ｄ５の内側に押圧した状態で、一対の側面リブ６２，６２をベースハウジング３１における第１方向Ｄ１側の位置に誘導する溝である。側面リブ用溝５２ａは、側壁部３２ｂにおける第２方向Ｄ２側の端部から底板部３８の上面に亘って、第１方向Ｄ１に延びている。また、図１１に示すように、側面リブ用溝５２ａは、組み合わせ状態において側面リブ６２を収容可能となっている。また、側面リブ用溝５２ａは、ラッチ部５２ｂよりも第１方向Ｄ１側において、前壁部３２ａの連通孔３２２に連通する。
【００５０】
次に、ベースコネクタ３０と組み合わされて使用される、本実施形態のソケットコネクタ１０について、図１〜図１１及び図１７〜図２１を参照しながら説明する。
図１〜図５等に示すように、第１実施形態のソケットコネクタ１０は、合成樹脂等からなるソケットハウジング１１と、ソケットコンタクト２１と、を備える。また、ソケットコネクタ１０には、電線Ｗが配置される。電線Ｗは、第４方向Ｄ４に延びている。図９及び図１１に示すように、電線Ｗは、ソケットコンタクト２１に接続されている。ベースコンタクト３５がソケットコンタクト２１によって挟持されることにより、ソケットコンタクト２１とベースコンタクト３５とは、電気的に接続される。
【００５１】
ソケットハウジング１１は、全体で略直方体形状を有している。ソケットハウジング１１においては、第２方向Ｄ２側における第４方向Ｄ４に沿う縁部は、第５方向Ｄ５の外側及び第３方向Ｄ３に延出し、つば部１１ａを形成している。つば部１１ａは、ソケットコネクタ１０の着脱時にソケットハウジング１１の摘みやすさを向上させる。
【００５２】
ソケットハウジング１１における第５方向Ｄ５の外側には、図１及び図４に示すように、第５方向Ｄ５の外側に突出する、一対の嵌合ガイドリブ６１，６１及び一対の側面リブ６２，６２が形成されている。
一対の嵌合ガイドリブ６１，６１は、ソケットハウジング１１における第４方向Ｄ４側の端部側に設けられている。一対の側面リブ６２，６２は、ソケットハウジング１１における第３方向Ｄ３側の端部側に設けられている。
【００５３】
嵌合ガイドリブ６１は、ソケットハウジング１１における第４方向Ｄ４側に、第５方向Ｄ５の外側にそれぞれ突出するように設けられている。嵌合ガイドリブ６１は、ソケットハウジング１１の側面における第４方向Ｄ４側で且つ第１方向Ｄ１側に位置している。
【００５４】
嵌合ガイドリブ６１は、略円柱形状に形成され、第１方向Ｄ１の縁部においてテーパ状に切り欠かれている。嵌合ガイドリブ６１は、ソケットコネクタ１０とベースコネクタ３０とを組み合わせる際に、嵌合ガイドリブ用溝５１ｂに第１方向Ｄ１に挿入され、挿入ガイドとして機能する。嵌合ガイドリブ６１は、ソケットコネクタ１０とベースコネクタ３０とを組み合わせる際に、嵌合ガイドリブ用溝５１ｂに沿って移動されることで、第４方向Ｄ４側で且つ第１方向Ｄ１側の位置に誘導されて、ソケットコネクタ１０を回転及び／又はスライドさせて、嵌合ガイドリブ係止部５１ｃに滑り込むように導入され、収容される。
【００５５】
なお、本実施形態においては、嵌合ガイドリブ６１を略円柱形状に形成したが、これに限定されない。嵌合ガイドリブ６１を、例えば、楕円柱形状や多角柱形状に形成してもよい。また、嵌合ガイドリブ６１を、柱形状としたが、例えば、筒形状に形成してもよい。
【００５６】
一対の側面リブ６２，６２は、ソケットハウジング１１における第３方向Ｄ３側に、第５方向Ｄ５の外側にそれぞれ突出する。側面リブ６２には、図４及び図５に示すように、第３方向Ｄ３に貫通する貫通孔６２１が形成されている。貫通孔６２１は、図４、図１８、図１９に示すように、組み合わせ状態において第３方向Ｄ３に視た場合に、嵌合ガイドリブ６１と少なくとも一部が重なる位置に配置される。
【００５７】
側面リブ６２には、図４に示すように、側面リブ傾斜部６２ａが形成されている。側面リブ傾斜部６２ａは、側面リブ６２における第３方向Ｄ３側で且つ第１方向Ｄ１側に設けられ、第４方向Ｄ４側に且つ第１方向Ｄ１側に向けて傾斜している。
【００５８】
延長リブ６３は、側面リブ６２における第５方向Ｄ５の外側に、側面リブ６２と一体的に形成されており、側面リブ６２における第５方向Ｄ５の外側に突出して形成されている。
延長リブ６３は、略台形柱状に形成され、第４方向Ｄ４に延びている。
側面リブ６２及び延長リブ６３は、ソケットコネクタ１０とベースコネクタ３０とを組み合わせる際に、側面リブ用溝５２ａに第１方向Ｄ１に挿入され、挿入ガイドとして機能する。
図１１に示すように、延長リブ６３は、組み合わせ状態において、ベースハウジング３１に設けられる側面リブ用溝構成部５２に形成されるラッチ部５２ｂに係合する。
【００５９】
ソケットハウジング１１の第４方向Ｄ４側の端部１１ｃには、図５に示すように、電線Ｗが挿入される矩形の電線挿入孔１１ｄが設けられている。電線挿入孔１１ｄは、電線Ｗが配置される空間である。電線挿入孔１１ｄは、外形を構成する矩形状の電線配置枠体７１と、電線配置枠体７１の内側を第５方向Ｄ５に仕切る仕切壁７２とに仕切られて形成される。
【００６０】
電線配置枠体７１は、図５に示すように、第３方向Ｄ３に視た場合に、略矩形枠状に形成される。電線配置枠体７１は、底壁部７１１と、ソケット側干渉部としての一対の側壁部７１２，７１２と、天壁部７１３と、を有する。
底壁部７１１、一対の側壁部７１２，７１２及び天壁部７１３は、少なくともソケットハウジング１１の第３方向Ｄ３の端部においては、板状に形成される。底壁部７１１、一対の側壁部７１２，７１２及び天壁部７１３におけるソケットハウジング１１の第３方向Ｄ３側の端面は、同一平面上に位置している。
【００６１】
天壁部７１３は、図５に示すように、電線配置枠体７１の天井の壁を構成する。
底壁部７１１は、天壁部７１３に略平行に配置され、電線配置枠体７１の底部の壁を構成する。底壁部７１１は、第４方向Ｄ４の端部側において所定の厚みを有する板状に形成されている。図１７に示すように、第３方向Ｄ３側において、接点露出スリット１３が形成されている。ソケットコンタクト２１は、接点露出スリット１３から露出するように配置されている。
【００６２】
底壁部７１１の第４方向Ｄ４側の端面７１１ａは、図５、図７及び図１７に示すように、第５方向Ｄ５に直線状に延びており、ソケット側基準面１１０を構成する。ソケット側基準面１１０は、図７に示すように、組み合わせ状態において、ベース側基準面１００に対向する。底壁部７１１の端面７１１ａ（ソケット側基準面１１０）は、図７に示すように、組み合わせ状態において、第５方向Ｄ５の両端部において、ベース側基準面１００（外側後壁部４１の第３方向Ｄ３側の端面４１ａ）に当接又は近接する。
【００６３】
一対の側壁部７１２，７１２は、図５に示すように、第３方向Ｄ３から視た場合に、底壁部７１１の第５方向Ｄ５の両端部から、それぞれ、第２方向Ｄ２に立設されている。一対の側壁部７１２，７１２は、ソケットハウジング１１における第５方向Ｄ５の外側それぞれに設けられている。一対の側壁部７１２，７１２は、ソケットハウジング１１の電線配置枠体７１の両端部に設けられている。一対の側壁部７１２，７１２は、ベースハウジング３１における内方側凸リブ４２２以外の部分に対向する。
【００６４】
具体的には、図７に示すように、同じ電極数のベースコネクタ３０とソケットコネクタ１０との組み合わせ状態において、一対の側壁部７１２，７１２は、後壁部３２ｃにおける一対の外側後壁部４１，４１の第３方向Ｄ３側の縁部３４ｂに対向している。これにより、同じ電極数のベースコネクタ３０とソケットコネクタ１０との組み合わせ状態では、一対の側壁部７１２，７１２は、組み合わせ状態の形成を阻害しない。
【００６５】
複数の仕切壁７２は、電線配置枠体７１の内部の空間を、電線Ｗが配置する空間に分割するように、第５方向Ｄ５において、電線Ｗが配置される空間を仕切る。具体的には、複数の仕切壁７２は、第１方向Ｄ１及び第３方向Ｄ３に延びており、電線配置枠体７１の天壁部７１３及び底壁部７１１を繋くように配置される。複数の仕切壁７２は、電線配置枠体７１の内部において、所定間隔毎に、第５方向Ｄ５に並んで配置される。
【００６６】
仕切壁７２は、図５に示すように、ソケットハウジング１１の第４方向Ｄ４の端部において、第１方向Ｄ１側の部分が第３方向Ｄ３側に切り欠いて形成される切欠部７２１を有している。切欠部７２１は、仕切壁７２の一部を切り欠いて形成されている。具体的には、切欠部７２１は、図２１に示すように、第５方向Ｄ５に視た場合に、仕切壁７２の第１方向Ｄ１の端部及び第４方向Ｄ４の端部において略矩形状に切り欠いて形成されている。図１０に示すように、切欠部７２１には、組み合わせ状態において、後壁補強凸部４２３が収容される。
【００６７】
このように構成される電線配置枠体７１においては、図５に示すように、切欠部７２１を含み且つ第５方向Ｄ５において一対の側壁部７１２，７１２の間の空間は、ソケット側凹部７０を構成する。本実施形態においては、ソケット側凹部７０は、底壁部７１１の第２方向Ｄ２側の空間である。ソケット側凹部７０は、内方側凸リブ４２２に干渉しないようにソケット側基準面１１０から第３方向Ｄ３側に凹む。組み合わせ状態において、図１０に示すように、内方側凸リブ４２２は、ソケット側凹部７０に収容される。組み合わせ状態において、内方側凸リブ４２２がソケット側凹部７０に収容され、第１方向Ｄ１及び第２方向Ｄ２から視た場合に、図７に示すように、内方側凸リブ４２２と底壁部７１１とは重なる位置に配置される。
【００６８】
図７及び図１０に示すように、組み合わせ状態において、第３方向Ｄ３及び第４方向において、内方側凸リブ４２２と底壁部７１１とが重なる部分の領域を、内方側凸リブ重なり領域Ｋ２という。内方側凸リブ重なり領域Ｋ２は、図７及び図８に示すように、第２方向Ｄ２に視た場合に、内方側凸リブ４２２と底壁部７１１とが重なる領域である。内方側凸リブ４２２は、内方側凸リブ重なり領域Ｋ２において、底壁部７１１の第２方向Ｄ２側に位置する。
【００６９】
内方側凸リブ重なり領域Ｋ２は、図７に示すように、第３方向Ｄ３及び第４方向Ｄ４において、固定部材８と近い位置、又は、第５方向Ｄ５に視た場合に、固定部材８の一部が重なる位置に形成される。内方側凸リブ重なり領域Ｋ２は、図７に示すように、第３方向Ｄ３及び第４方向Ｄ４において、嵌合ガイドリブ収容領域Ｋ１と近い位置、又は、第５方向Ｄ５に視た場合に、嵌合ガイドリブ収容領域Ｋ１の一部が重なる位置に形成される。
【００７０】
ここで、図７に示すように、第３方向Ｄ３及び第４方向Ｄ４において、内方側凸リブ重なり領域Ｋ２は、ベースハウジング３１が固定部材８により回路基板Ｓに固定されている位置と近い位置である。そのため、内方側凸リブ４２２がソケット側凹部７０に収容される際において、ベースハウジング３１の弾性変形を抑制することができる。
【００７１】
前述の構成を有するソケットコネクタ１０とベースコネクタ３０とは、図２２〜図２４に示すように、次のように組み合わされ、ソケット−ベースコネクタ対が形成される。
図２２（Ａ）及び（Ｂ）は、ソケットコネクタ１０とベースコネクタ３０との組み合わせる際にソケットコネクタ１０を傾けた状態を示す図である。図２３（Ａ）及び（Ｂ）は、ソケットコネクタ１０とベースコネクタ３０との組み合わせ手順を順次示す図であって、図２２（Ａ）に示す２２Ａ−２２Ｂ−２２Ｃ−２２Ｄ線断面図である。図２４（Ａ）及び（Ｂ）は、図２３（Ａ）及び（Ｂ）に示す状態から進行した組み合わせ手順を順次示す図である。図２５（Ａ）〜（Ｃ）は、ソケットコネクタ１０とベースコネクタ３０との組み合わせ手順を順次示す図であって、図２２（Ｂ）に示す２２Ｅ−２２Ｅ線断面図である。
【００７２】
嵌合ガイドリブ６１と嵌合ガイドリブ用溝５１ｂとを対向させ、側面リブ６２と側面リブ用溝５２ａとを対向させ、底壁部７１１の第４方向Ｄ４の端面７１１ａを内方側凸リブ４２２に対向させ、接点露出スリット１３とベースコンタクト３５におけるソケット側コンタクト部３５ａとを対向させた状態において、ソケットコネクタ１０とベースコネクタ３０とを第１方向Ｄ１又は第２方向Ｄ２に相対的に接近させる。その結果、嵌合ガイドリブ６１が嵌合ガイドリブ用溝５１ｂに挿入され、側面リブ６２が側面リブ用溝５２ａに挿入され、底壁部７１１が内方側凸リブ４２２の下方側（第１方向Ｄ１側）に収容され、接点露出スリット１３にベースコンタクト３５におけるソケット側コンタクト部３５ａが挿入される。
【００７３】
特に、図２３〜図２５に示す手順で、ソケットコネクタ１０とベースコネクタ３０とが組み合わされることが好ましい。
【００７４】
まず、ソケットコネクタ１０のソケットハウジング１１について、図２２（Ａ）、図２２（Ｂ）及び図２３（Ａ）に示すように、その第４方向Ｄ４側を第１方向Ｄ１側に傾け、図２３（Ｂ）及び図２５（Ａ）に示すように、嵌合ガイドリブ６１を嵌合ガイドリブ用溝５１ｂに向けて挿入すると共に、底壁部７１１の第４方向Ｄ４の端面７１１ａを内方側凸リブ４２２の下側（第１方向Ｄ１側）に向けて挿入する。つまり、側面リブ６２が側面リブ用溝５２ａに挿入するよりも先に、嵌合ガイドリブ６１を嵌合ガイドリブ用溝５１ｂに挿入する。
【００７５】
ソケットコネクタ１０について傾きをほぼ維持した状態で、ベースコネクタ３０に向けて第１方向Ｄ１に移動させる。ある時点で、側面リブ６２の側面リブ傾斜部６２ａが側面リブ用溝５２ａにおける第３方向Ｄ３の壁に接触する。この時点で、嵌合ガイドリブ６１は、図２４（Ａ）に示すように、嵌合ガイドリブ用溝５１ｂにおける嵌合ガイドリブ係止部５１ｃの近傍に位置している。また、底壁部７１１は、図２５（Ｂ）に示すように、内方側凸リブ４２２の近傍に位置している。
【００７６】
更に、ソケットコネクタ１０を更に第１方向Ｄ１に移動させると、側面リブ６２は、側面リブ用溝５２ａから第４方向Ｄ４向きの反力を受ける。そのため、側面リブ６２が第４方向Ｄ４に撓んで、嵌合ガイドリブ６１は、図２４（Ｂ）に示すように、嵌合ガイドリブ係止部５１ｃに滑り込むように導入され、収容される。同様に、底壁部７１１は、図２５（Ｃ）に示すように、内方側凸リブ４２２の下方側（第１方向Ｄ１側）に滑り込むように導入され、収容される。ここで、言い換えると、この状態においては、内方側凸リブ４２２は、ソケット側凹部７０に収容されている。
【００７７】
このように、嵌合ガイドリブ６１が嵌合ガイドリブ係止部５１ｃに収容され、また、底壁部７１１が内方側凸リブ４２２の下側（第１方向Ｄ１側）に収容されると、ソケットハウジング１１における第４方向Ｄ４側がベースハウジング３１から離れる方向に（すなわち第３方向Ｄ３に）移動しそうになったとしても、嵌合ガイドリブ６１が嵌合ガイドリブ係止部５１ｃに係止され、また、底壁部７１１が内方側凸リブ４２２の下方側（第１方向Ｄ１側）に収容されているため、ソケットハウジング１１における第３方向Ｄ３側がベースハウジング３１から分離しにくい。
【００７８】
嵌合ガイドリブ係止部５１ｃへの嵌合ガイドリブ６１の収容及びソケット側凹部７０への内方側凸リブ４２２の収容の後、所定以上の力を掛けて、第３方向Ｄ３側において、更にソケットコネクタ１０とベースコネクタ３０とを第１方向Ｄ１又は第２方向Ｄ２に相対的に接近させる。そうすると、延長リブ６３が、ラッチ部５２ｂの傾斜面を摺動し、側面リブ６２が第５方向Ｄ５の内側に撓んで、ラッチ部５２ｂを乗り越えて、図２４（Ａ）及び（Ｂ）に示すように、ラッチ部５２ｂの第１方向Ｄ１側に移動する。すなわち、延長リブ６３は、ラッチ部５２ｂに係合すると共に、側面リブ用溝５２ａに完全に挿入される。
【００７９】
側面リブ６２及び延長リブ６３が、側面リブ用溝５２ａに完全に挿入されると、ソケットコネクタ１０とベースコネクタ３０とは、図２４（Ｂ）に示す状態になり、ソケットコネクタ−ベースコネクタ対の形成は終了する。また、延長リブ６３がラッチ部５２ｂに係合する際、クリック感が生じる。そのため、作業者は、ソケットコネクタ−ベースコネクタ対の形成の終了を容易に判断することができる。このように、延長リブ６３とラッチ部５２ｂとが係合されることにより、ソケットコネクタ１０とベースコネクタ３０との結合状態が維持される。
【００８０】
ここで、一対の側面リブ６２，６２は、ソケットハウジング１１における第４方向Ｄ４側に、第３方向Ｄ３の外側にそれぞれ突出する。側面リブ６２には、第３方向Ｄ３に貫通する貫通孔６２１が形成されている。そのため、一対の側面リブ６２，６２は、第５方向Ｄ５の内側に変形しやすい。これにより、ソケットコネクタ１０とベースコネクタ３０とを組み合わせる際に、一対の側面リブ６２，６２が第５方向Ｄ５の内側に変形するため、側面リブ６２及び延長リブ６３を、側面リブ用溝５２ａに挿入しやすく且つ側面リブ用溝５２ａから抜きやすい。また、ベースコネクタ３０に対してソケットコネクタ１０を抜き差しすることにより生じるソケットコネクタ１０やベースコネクタ３０の摩耗等の損傷を低減することができる。
【００８１】
次に、電線の極数（電極数）が異なるベースコネクタ３０とソケットコネクタ１０を組み合わせる場合について、図面を参照して説明する。ここでは、４極用のベースコネクタ３０に２極用のソケットコネクタ１０を組み合わせようとした場合について説明する。図２６（Ａ）及び（Ｂ）は、異なる電極数のソケットコネクタ１０とベースコネクタ３０との組み合わせ状態の形成が阻害された場合を示す図である。図２７（Ａ）は、図２６（Ｂ）に示す２６Ａ−２６Ａ線断面図、図２７（Ｂ）は、図２６（Ｂ）に示す２６Ｂ−２６Ｂ線断面図である。
【００８２】
電線の極数が４極用のベースコネクタ３０に対して、図２６（Ａ）及び（Ｂ）に示すように、電線の極数が２極用のソケットコネクタ１０をその第４方向Ｄ４側を第１方向Ｄ１側に傾けて挿入する。ここで、図２７（Ａ）及び（Ｂ）に示すように、側面リブ６２が側面リブ用溝５２ａに挿入するよりも先に、嵌合ガイドリブ６１を嵌合ガイドリブ用溝５１ｂに挿入する。そして、電線の極数が４極用のベースコネクタ３０に対して、図２６（Ａ）及び（Ｂ）に示すように、電線の極数が２極用のベースコネクタ３０を組み合わせようとしているため、組み合わせ状態の形成過程で、側壁部７１２は、内方側凸リブ４２２に対向している。そのため、ソケットコネクタ１０を更にベースコネクタ３０に向けて第１方向Ｄ１に移動させると、図２７（Ｂ）に示すように、ソケットハウジング１１の側壁部７１２は、内方側凸リブ４２２に当接する。これにより、電線の極数が異なるベースコネクタ３０とソケットコネクタ１０を組み合わせようとしても、組み合わせ状態の形成が阻害される。
【００８３】
以上の構成を有する第１実施形態のソケットコネクタ１０によれば、以下の効果が奏される。
本実施形態においては、組み合わせ状態の形成過程で側壁部７１２が内方側凸リブ４２２に対向した場合には、ソケットハウジング１１の側壁部７１２は、内方側凸リブ４２２に当接して、組み合わせ状態の形成を阻害する。そのため、異なる電極数のベースコネクタ３０とソケットコネクタ１０との嵌合を抑制することができる。
【００８４】
また、本実施形態においては、組み合わせ状態において、ソケットハウジング１１の側壁部７１２は、ソケットハウジング１１における第５方向Ｄ５の外側それぞれに一対設けられる。これにより、ベースコネクタ３０とソケットコネクタ１０とを嵌合させる場合に、ソケットハウジング１１をベースハウジング３１の一方の端部側に合わせて組み合わせ状態を形成することが多い。このような場合において、ソケットハウジング１１における第５方向Ｄ５の外側それぞれに一対の側壁部７１２を設けるだけの簡易な構成で、異なる電極数のベースコネクタ３０とソケットコネクタ１０との嵌合を一層抑制することができる。
【００８５】
また、本実施形態においては、組み合わせ状態において、内方側凸リブ４２２がソケット側凹部７０に収容され、第１方向Ｄ１及び第２方向Ｄ２から視た場合に、内方側凸リブ４２２と底壁部７１１とは重なる位置に配置される。そのため、組み合わせ状態において、内方側凸リブ４２２が内方側凸リブ４２２の下方側（第１方向Ｄ１側）に収容されているため、ソケットハウジング１１における第３方向Ｄ３側がベースハウジング３１から分離しにくい。これにより、ベースコネクタ３０とソケットコネクタ１０との嵌合状態を一層強くすることができる。
【００８６】
また、本実施形態においては、ソケット側凹部７０は、仕切壁７２の一部を第４方向Ｄ４側に切り欠いて形成される切欠部７２１を有する。これにより、仕切壁７２の一部を切り欠くだけで、ソケット側凹部７０を構成できる。従って、簡易な構成で、異なる電極数のベースコネクタ３０とソケットコネクタ１０との嵌合を抑制することができる。
【００８７】
また、本実施形態においては、ベースハウジング３１は、内方側凸リブ４２２の第２方向Ｄ２側の面に仕切壁７２に対応して第２方向Ｄ２側に突出する後壁補強凸部４２３を有し、組み合わせ状態において、後壁補強凸部４２３は、仕切壁７２の切欠部７２１に配置される。これにより、後壁補強凸部４２３により後壁部３２ｃの補強をすることができる。また、後壁補強凸部４２３は、仕切壁７２の切欠部７２１に配置されるため、電線Ｗの配線を邪魔することが抑制される。
【００８８】
〔第２実施形態〕
次に、本発明の第２実施形態について、図２８〜図３３を参照しながら説明する。図２８は、第２実施形態における、ソケットコネクタ１０と組み合わせて使用されるベースコネクタ３０を示す平面図（図１２対応図）である。図２９は、図２８に示すベースコネクタ３０を矢視２８Ｂ方向から視た正面図（図１３対応図）である。図３０は、ソケットコネクタ１０と組み合わせて使用されるベースコネクタ３０を示す底面図（図１４対応図）である。図３１は、ソケットコネクタ１０を示す底面図（図１７対応図）である。図３２は、ソケットコネクタ１０をＤ３方向に視た正面図（図１８対応図）である。図３３は、図３２に示す３２Ａ−３２Ａ線断面図（図２１対応図）である。
【００８９】
第２実施形態については、主として、第１実施形態と異なる点を中心に説明し、第１実施形態と同様な構成については、詳細な説明を省略する。特に説明しない点は、第１実施形態についての説明が適宜適用される。
【００９０】
第２実施形態においては、図３１及び図３２に示すように、ソケットハウジング１１の側面リブ６２に設けられる貫通孔６２１は、第３方向Ｄ３に貫通すると共に、第１方向Ｄ１に開放している。
【００９１】
そのため、ソケットコネクタ１０とベースコネクタ３０との着脱過程において、ベースハウジング３１の側面リブ用溝５２ａ（図２８参照）によって延長リブ６３及び側面リブ６２が第５方向Ｄ５の内側に押圧されたときに、側面リブ６２は、第５方向Ｄ５の内側に撓みやすい。これにより、ソケットコネクタ１０とベースコネクタ３０との着脱が繰り返されたとしても、延長リブ６３等が摩耗しにくい。
【００９２】
第２実施形態においては、図３１及び図３２に示すように、第１方向Ｄ１に開放している貫通孔６２１の内部（詳細には、第５方向Ｄ５の内側の内壁）に、第５方向Ｄ５の外側に突出する侵入阻害リブ６２２が設けられている。なお、侵入阻害リブ６２２は、第５方向Ｄ５の外側の内壁から、第５方向Ｄ５の内側に突出していてもよい。
【００９３】
貫通孔６２１の内部に侵入阻害リブ６２２が設けられているため、貫通孔６２１における第１方向Ｄ１の開放部６２１ａから、電線のハーネス等が貫通孔６２１の内部に侵入しそうになった場合に、そのハーネス等が侵入阻害リブ６２２に引っ掛かり、そのハーネス等の侵入を阻害しやすい。
【００９４】
第２実施形態においては、ソケットハウジング１１は、図３１〜図３３に示すように、電極数に応じて設定された設定位置に、複数の電極数識別用凸部６４（６４ａ、６４ｂ）を備える。具体的には、電極数識別用凸部６４ａは、ソケットハウジング１１の電線配置枠体７１の第３方向Ｄ３側における第５方向Ｄ５の外側それぞれに、第３方向Ｄ３に突出して設けられている。また、電極数識別用凸部６４ｂは、ソケットハウジング１１の電線配置枠体７１の側壁部７１２の第４方向Ｄ４側における第５方向Ｄ５の外側それぞれに、第４方向Ｄ４に突出して設けられている。
【００９５】
また、ベースハウジング３１は、図２８及び図３０に示すように、電極数に応じて設定された設定位置に、複数の電極数識別用凹部５３（５３ａ、５３ｂ）を備える。具体的には、電極数識別用凹部５３ａは、ベースハウジング３１の周壁部３２の前壁部３２ａの第３方向Ｄ３側における第５方向Ｄ５の外側それぞれに、第３方向Ｄ３に凹んで設けられている。また、電極数識別用凹部５３ｂは、ベースハウジング３１の周壁部３２の後壁部３２ｃの第４方向Ｄ４側における第５方向Ｄ５の外側それぞれに、第４方向Ｄ４に凹んで設けられている。
【００９６】
ソケットコネクタ１０とベースコネクタ３０とで電極数が同じ場合のみ、複数の電極数識別用凸部６４（６４ａ、６４ｂ）が複数の電極数識別用凹部５３（５３ａ、５３ｂ）に収容されるように、複数の電極数識別用凸部６４（６４ａ、６４ｂ）及び電極数識別用凹部５３（５３ａ、５３ｂ）の設定位置は設定されている。そのため、全ての電極数識別用凸部６４ａは、それぞれ対応する電極数識別用凹部５３ａに収容される。全ての電極数識別用凸部６４ｂは、それぞれ対応する電極数識別用凹部５３ｂに収容される。なお、ベースハウジング３１に複数の電極数識別用凸部が設けられ、ソケットハウジング１１に、当該複数の電極数識別用凸部を収容可能な複数の電極数識別用凹部が設けられていてもよい。
【００９７】
例えば、電極数が１０極のソケットコネクタ１０は、電極数が１０極のベースコネクタ３０には組み合わせることができるが、電極数が７極のベースコネクタ３０には組み合わせることができない。
このように、電極数が同じ場合のみ、複数の電極数識別用凸部が複数の電極数識別用凹部に収容されるように、複数の電極数識別用凸部及び電極数識別用凹部の設定位置が設定されているため、電極数が異なるソケットコネクタ１０とベースコネクタ３０とが組み合わさることを防止することができる。
なお、このような効果を達成できるのであれば、電極数識別用凸部及び電極数識別用凹部の個数、位置、形状などは制限されない。
【００９８】
また、第２実施形態においては、ソケットハウジング１１の底壁部７１１の端面７１１ａの一部がソケット側基準面１１０よりも第３方向Ｄ３側へ後退しており、組み合わせ状態において、第１方向Ｄ１及び第２方向Ｄ２から視た場合に、ベースハウジング３１の内方側凸リブ４２２と底壁部７１１とは重ならない（図示せず）。そのため、ソケットコネクタ１０をベースコネクタ３０から分離させる過程において、内方側凸リブ４２２と底壁部７１１との係合に起因する、特にベースハウジング３１の破損を抑制することができる。
【００９９】
本発明は、上記実施形態に限定されることはなく、特許請求の範囲に記載された技術的範囲において変形が可能である。
例えば、前記実施形態においては、側壁部７１２（ソケット側干渉部）を、ソケットハウジング１１における第５方向Ｄ５の外側の両端部にそれぞれ形成したが、これに制限されない。例えば、側壁部７１２（ソケット側干渉部）を、ソケットハウジング１１における第５方向Ｄ５の内側に形成してもよいし、ソケットハウジング１１に１つ又は３つ以上形成してもよい。
【０１００】
また、前記実施形態においては、内方側凸リブ４２２を、第５方向Ｄ５に連続して延びるように構成したが、これに制限されない。内方側凸リブ４２２は、第５方向Ｄ５の一部に設けられていてもよいし、第５方向Ｄ５に間欠的に設けられていてもよい。
【０１０１】
また、前記実施形態においては、ベースハウジング３１に内方側凸リブ４２２（ベース側凸部）を形成すると共に、ソケットハウジング１１にソケット側凹部７０及び側壁部７１２（ソケット側干渉部）を形成して、組み合わせ状態の形成過程で側壁部７１２（ソケット側干渉部）が内方側凸リブ４２２に対向した場合には、ソケットハウジング１１の側壁部７１２は、内方側凸リブ４２２に当接して、組み合わせ状態の形成を阻害するように構成した。しかし、これに制限されず、前記実施形態におけるソケットハウジングに設けられるソケット側凹部とベースハウジングに設けられるベース側凸部とについて凹凸の関係が反対になるように構成してもよい。即ち、ソケットハウジング１１にソケット側凸部を形成すると共に、ベースハウジング３１にベース側凹部及びベース側干渉部を形成して、組み合わせ状態の形成過程でベース側干渉部がソケット側凸部に対向した場合には、ソケットハウジング１１のベース側干渉部は、ソケット側凸部に当接して、組み合わせ状態の形成を阻害するように構成してもよい。
この場合には、前記実施形態における「ベース側凸部（内方側凸リブ）」に代えて「ソケット側凸部」とし、「ソケット側干渉部（側壁部）」に代えて「ベース側干渉部」とし、「ソケット側凹部」に代えて「ベース側凹部」とし、「ベース側開口部」に代えて「ソケット側開口部」とし、「ソケット側底壁部」に代えて「ベース側底壁部」とする。
【０１０２】
第２実施形態において、ソケットコネクタ１０の構成とベースコネクタ３０の構成とを入れ替えることができる。具体的には、以下の構成を採用することができる。
ベースハウジング３１は、ベースハウジング３１における第４方向Ｄ４側に、第５方向Ｄ５の外側に突出し且つ第４方向Ｄ４に貫通する貫通孔が形成される側面リブと、側面リブの第５方向Ｄ５の外側に突出する延長リブと、を備え、ソケットハウジング１１は、側面リブ及び延長リブを第５方向Ｄ５の内側に押圧した状態で側面リブをソケットハウジング１１における第２方向Ｄ２側の位置に誘導する側面リブ用溝と、組み合わせ状態において延長リブが係合するラッチ部と、を備え、貫通孔は第２方向Ｄ２に開放している。
また、第２方向Ｄ２に開放している貫通孔の内部に、第５方向Ｄ５の外側又は内側に突出する侵入阻害リブが設けられる。
更に、ベースハウジング３１は、電極数に応じて設定された設定位置に、複数の電極数識別用凸部又は電極数識別用凹部を備え、ソケットハウジング１１は、電極数に応じて設定された設定位置に、複数の電極数識別用凸部又は電極数識別用凹部を備え、電極数が同じ場合のみ、複数の電極数識別用凸部が複数の電極数識別用凹部に収容されるように、設定位置は設定されている。
【符号の説明】
【０１０３】
１０  ソケットコネクタ
１１  ソケットハウジング
３０  ベースコネクタ
３１  ベースハウジング
３４  ベース側開口部
５２ａ  側面リブ用溝
５２ｂ  ラッチ部
５３、５３ａ、５３ｂ  電極数識別用凹部
６２  側面リブ
６３  延長リブ
６４、６４ａ、６４ｂ  電極数識別用凸部
７０  ソケット側凹部
７２  仕切壁
１００  ベース側基準面
１１０  ソケット側基準面
４２２  内方側凸リブ（ベース側凸部）
４２３  後壁補強凸部（補強凸部）
６２１  貫通孔
６２２  侵入阻害リブ
７１１  底壁部（ソケット側底壁部）
７１１ａ  端面
７１２  側壁部（ソケット側干渉部）
７２１  切欠部
Ｄ１  第１方向
Ｄ２  第２方向
Ｄ３  第３方向
Ｄ４  第４方向
Ｄ５  第５方向
Ｓ  回路基板
Ｗ  電線
【図１】
0006584887.tif 000002
【図２】
0006584887.tif 000003
【図３】
0006584887.tif 000004
【図４】
0006584887.tif 000005
【図５】
0006584887.tif 000006
【図６】
0006584887.tif 000007
【図７】
0006584887.tif 000008
【図８】
0006584887.tif 000009
【図９】
0006584887.tif 000010
【図１０】
0006584887.tif 000011
【図１１】
0006584887.tif 000012
【図１２】
0006584887.tif 000013
【図１３】
0006584887.tif 000014
【図１４】
0006584887.tif 000015
【図１５】
0006584887.tif 000016
【図１６】
0006584887.tif 000017
【図１７】
0006584887.tif 000018
【図１８】
0006584887.tif 000019
【図１９】
0006584887.tif 000020
【図２０】
0006584887.tif 000021
【図２１】
0006584887.tif 000022
【図２２】
0006584887.tif 000023
【図２３】
0006584887.tif 000024
【図２４】
0006584887.tif 000025
【図２５】
0006584887.tif 000026
【図２６】
0006584887.tif 000027
【図２７】
0006584887.tif 000028
【図２８】
0006584887.tif 000029
【図２９】
0006584887.tif 000030
【図３０】
0006584887.tif 000031
【図３１】
0006584887.tif 000032
【図３２】
0006584887.tif 000033
【図３３】
0006584887.tif 000034